(57)【要約】【課題】不安定な状態での使用においては、蓋を開け、両手でキー操作するという動作が困難な状況となってしまうため、移動中にでも容易に使用できる表示装置が望まれている。【解決手段】第１の表示面と、前記第１の表示面の裏面に形成された第２の表示面と、複数の画素を有し、前記複数の画素はそれぞれ、前記第１の表示面の表示に寄与する第１の発光素子と、前記第２の表示面の表示に寄与する第２の発光素子とを有し、前記第１の発光素子の発光輝度は、前記第２の発光素子の発光輝度と異なる表示装置とすることが好ましい。【選択図】図１
2010217899.tif 000002
【特許請求の範囲】
【請求項１】
第１の表示面と、前記第１の表示面の裏面に形成された第２の表示面と、複数の画素を有し、
前記複数の画素はそれぞれ、前記第１の表示面の表示に寄与する第１の発光素子と、前記第２の表示面の表示に寄与する第２の発光素子とを有し、
前記第１の発光素子の発光輝度は、前記第２の発光素子の発光輝度と異なることを特徴とする表示装置。
【請求項２】
第１乃至第４の配線と、第１の発光素子と、第２の発光素子と、第１乃至第４のトランジスタと、を有し、
前記第１の配線は、前記第１のトランジスタのソース又はドレインの一方に電気的に接続され、
前記第２の配線は、前記第２のトランジスタのソース又はドレインの一方に電気的に接続され、
前記第３の配線は、前記第１のトランジスタのソース又はドレインのゲートと、前記第２のトランジスタのゲートと、に電気的に接続され、
前記第４の配線は、前記第３のトランジスタのソース又はドレインの一方と、前記第４のトランジスタのソース又はドレインの一方と、に電気的に接続され、
前記第１の発光素子は、前記第３のトランジスタのソース又はドレインの他方に電気的に接続され、
前記第２の発光素子は、前記第４のトランジスタのソース又はドレインの他方に電気的に接続され、
前記第１のトランジスタのソース又はドレインの他方は、前記第３のトランジスタのゲートに電気的に接続され、
前記第２のトランジスタのソース又はドレインの他方は、前記第４のトランジスタのゲートに電気的に接続され、
前記第１の配線に印加される電位と、前記第２の配線に印加される電位と、が異なることを特徴とする表示装置。
【請求項３】
第１乃至第４の配線と、第１の発光素子と、第２の発光素子と、第１乃至第３のトランジスタと、を有し、
前記第１の配線は、前記第１のトランジスタのソース又はドレインの一方に電気的に接続され、
前記第２の配線は、前記第１のトランジスタのソース又はドレインのゲートに電気的に接続され、
前記第３の配線は、前記第２のトランジスタのソース又はドレインの一方に電気的に接続され、
前記第４の配線は、前記第３のトランジスタのソース又はドレインの一方に電気的に接続され、
前記第１の発光素子は、前記第２のトランジスタのソース又はドレインの他方に電気的に接続され、
前記第２の発光素子は、前記第３のトランジスタのソース又はドレインの他方に電気的に接続され、
前記第１のトランジスタのソース又はドレインの他方は、前記第２のトランジスタのゲートと、前記第３のトランジスタのゲートと、に電気的に接続され、
前記第３の配線に印加される電位と、前記第４の配線に印加される電位と、が異なることを特徴とする表示装置。
【請求項４】
請求項２又は請求項３において、
前記第１の発光素子の発光輝度は、前記第２の発光素子の発光輝度と異なることを特徴とする表示装置。
【請求項５】
請求項１乃至請求項４のいずれか一項において、
前記第１の表示面と前記第２の表示面のうち使用頻度が高い方の発光素子の発光輝度を小さくすることを特徴とする表示装置。
【請求項６】
請求項１乃至請求項５のいずれか一項において、
前記第１の発光素子の有する画素電極の面積と前記第２の発光素子の有する画素電極の面積とは異なることを特徴とする表示装置。
【請求項７】
請求項１乃至請求項６のいずれか一項において、
前記第１のトランジスタのチャネルサイズと前記第２のトランジスタのチャネルサイズとは異なることを特徴とする表示装置。
【発明の詳細な説明】
【技術分野】
【０００１】
本発明は、発光素子を備えた表示装置、特に、ノート型パーソナルコンピュータ（以下、ノートＰＣと称する。）等の携帯情報端末に関する。
【背景技術】
【０００２】
近年、発光装置として、液晶素子を用いた画素を有する液晶ディスプレイ（ＬＣＤ）に代わり、エレクトロルミネッセンス（ＥＬ）素子等を代表とする発光素子を用いた表示装置の研究開発が進められている。これらの発光装置は、発光型ゆえの高画質、広視野角、バックライトを必要としないことによる薄型、軽量等の利点を活かして、携帯電話の表示画面やディスプレイ装置として幅広い利用が期待されている。
【発明の概要】
【発明が解決しようとする課題】
【０００３】
しかし、現在の所、ＥＬ材料の信頼性（寿命）の点において、輝度が劣化していくという問題がある。さらに、多色表示を行う場合には、Ｒ、Ｇ、Ｂの各素子間において、輝度劣化の度合いが異なるという問題がある。
【０００４】
また、ノートＰＣ等の携帯情報端末においては、薄型、軽量化が著しく、携帯が容易になっているため、電車や自動車内等のような比較的狭い場所で使用する、歩きながら使用する等不安定な状態で使用する機会が増えている。そのような不安定な状態での使用においては、ノートＰＣの蓋を開け、両手でキー操作するという動作が困難な状況となってしまうため、移動中にでも容易に使用できる携帯情報端末が望まれている。
【課題を解決するための手段】
【０００５】
本発明の表示装置は、基板の一表面に第１の表示面を有し、前記基板の前記一表面と反対側の前記基板の表面に第２の表示面を有する両面表示パネルを搭載した表示装置において、前記第１の表示面と、前記第２の表示面の発光輝度が互いに異なることを特徴としている。
【０００６】
本発明の表示装置は、基板の一表面に第１の表示面を有し、前記一表面と反対側の前記基板の表面に第２の表示面を有する両面表示パネルを搭載した表示装置であって、前記両面表示パネルは、複数の画素を有し、前記複数の画素はそれぞれ、前記第１の表示面の表示に寄与する第１の発光素子と、前記第２の表示面の表示に寄与する第２の発光素子とを有し、前記第１の発光素子と前記第２の発光素子の発光輝度を異ならせる手段を有することを特徴としている。
【０００７】
本発明の表示装置は、基板の一表面に第１の表示面を有し、前記一表面と反対側の前記基板の表面に第２の表示面を有する両面表示パネルを搭載した表示装置であって、前記両面表示パネルは、複数の画素を有し、前記複数の画素はそれぞれ、前記第１の表示面の表示に寄与する第１の発光素子と、前記第２の表示面の表示に寄与する第２の発光素子とを有し、前記第１の発光素子と前記第２の発光素子に流す電流量を異ならせるための手段を有することを特徴としている。
【０００８】
本発明の表示装置は、基板の一表面に第１の表示面を有し、前記基板の前記一表面と反対側の前記基板の表面に第２の表示面を有する両面表示パネルを搭載した表示装置であって、前記第１の表示面と、前記第２の表示面の有する各画素の開口率が互いに異なることを特徴としている。
【０００９】
本発明の表示装置は、基板の一表面に第１の表示面を有し、前記一表面と反対側の前記基板の表面に第２の表示面を有する両面表示パネルを搭載した表示装置であって、前記両面表示パネルは、複数の画素を有し、前記複数の画素はそれぞれ、前記第１の表示面の表示に寄与する第１の発光素子と、前記第２の表示面の表示に寄与する第２の発光素子とを有し、前記第１の発光素子は第１の画素電極を有し、前記第２の発光素子は第２の画素電極を有し、前記第１の画素電極の面積と前記第２の画素電極の面積は異なることを特徴としている。
【００１０】
本発明の表示装置は、基板の一表面に第１の表示面を有し、前記一表面と反対側の前記基板の表面に第２の表示面を有する両面表示パネルを搭載した表示装置であって、前記両面表示パネルは、複数の画素を有し、前記複数の画素はそれぞれ、前記第１の表示面の表示に寄与する第１の発光素子と、前記第２の表示面の表示に寄与する第２の発光素子とを有し、前記第１の発光素子は第１の画素電極を有し、前記第２の発光素子は第２の画素電極を有し、前記第１の表示面と前記第２の表示面のうち使用頻度が高いほうの表示面の表示に寄与する発光素子の有する画素電極の面積が、使用頻度の低いほうの表示面の表示に寄与する発光素子の有する画素電極の面積よりも大きいことを特徴としている。
【００１１】
本発明の表示装置は、基板の一表面に第１の表示面を有し、前記一表面と反対側の前記基板の表面に第２の表示面を有する両面表示パネルを搭載した表示装置であって、前記両面表示パネルは、複数の画素を有し、前記複数の画素はそれぞれ、前記第１の表示面の表示に寄与する第１の発光素子と、前記第２の表示面の表示に寄与する第２の発光素子とを有し、前記第１の発光素子は第１の画素電極を有し、前記第２の発光素子は第２の画素電極を有し、前記第１の画素電極の面積と前記第２の画素電極の面積は異なり、前記第１の発光素子と前記第２の発光素子に流す電流量を異ならせるための手段を有することを特徴としている。
【００１２】
本発明の表示装置は、基板の一表面に第１の表示面を有し、前記一表面と反対側の前記基板の表面に第２の表示面を有する両面表示パネルを搭載した表示装置であって、前記両面表示パネルは、複数の画素を有し、前記複数の画素はそれぞれ、前記第１の表示面の表示に寄与する第１の発光素子と、前記第２の表示面の表示に寄与する第２の発光素子と、第１の薄膜トランジスタと、第２の薄膜トランジスタとを有し、前記第１の発光素子は第１の画素電極を有し、前記第２の発光素子は第２の画素電極を有し、前記第１の画素電極は、前記第１の薄膜トランジスタのソースまたはドレインに電気的に接続され、前記第２の画素電極は、前記第２の薄膜トランジスタのソースまたはドレインに電気的に接続され、前記第１の薄膜トランジスタと前記第２の薄膜トランジスタのチャネルサイズが異なることを特徴としている。
【００１３】
本発明の表示装置は、基板の一表面に第１の表示面を有し、前記一表面と反対側の前記基板の表面に第２の表示面を有する両面表示パネルを搭載した表示装置であって、前記両面表示パネルは、複数の画素を有し、前記第１の表示面と前記第２の表示面のいずれか一方は複数色の発光素子を用いた多色表示であり、他方は前記複数色の発光素子のうち最も信頼性の高い色の発光素子を用いた単色表示であり、前記複数の画素のうち、前記最も信頼性の高い発光素子を有する画素はそれぞれ、前記第１の表示面の表示に寄与する第１の発光素子と、前記第２の表示面の表示に寄与する第２の発光素子とを有し、前記第１の発光素子と前記第２の発光素子の発光輝度を異ならせる手段を有することを特徴としている。
【００１４】
本発明の表示装置は、基板の一表面に第１の表示面を有し、前記一表面と反対側の前記基板の表面に第２の表示面を有する両面表示パネルを搭載した表示装置であって、前記両面表示パネルは、複数の画素を有し、前記第１の表示面と前記第２の表示面のいずれか一方は複数色の発光素子を用いた多色表示であり、他方は前記複数色の発光素子のうち最も信頼性の高い色の発光素子を用いた単色表示であり、前記複数の画素のうち、前記最も信頼性の高い発光素子を有する画素はそれぞれ、前記第１の表示面の表示に寄与する第１の発光素子と、前記第２の表示面の表示に寄与する第２の発光素子とを有し、前記第１の発光素子と前記第２の発光素子に流す電流量を異ならせるための手段を有することを特徴としている。
【００１５】
本発明の表示装置は、基板の一表面に第１の表示面を有し、前記一表面と反対側の前記基板の表面に第２の表示面を有する両面表示パネルを搭載した表示装置であって、前記両面表示パネルは、複数の画素を有し、前記第１の表示面と前記第２の表示面のいずれか一方は複数色の発光素子を用いた多色表示であり、他方は前記複数色の発光素子のうち最も信頼性の高い色の発光素子を用いた単色表示であり、前記複数の画素のうち、前記最も信頼性の高い発光素子を有する画素はそれぞれ、前記第１の表示面の表示に寄与する第１の発光素子と、前記第２の表示面の表示に寄与する第２の発光素子とを有し、前記第１の発光素子は第１の画素電極を有し、前記第２の発光素子は第２の画素電極を有し、前記第１の画素電極の面積と前記第２の画素電極の面積は異なることを特徴としている。
【００１６】
本発明の表示装置は、基板の一表面に第１の表示面を有し、前記一表面と反対側の前記基板の表面に第２の表示面を有する両面表示パネルを搭載した表示装置であって、前記両面表示パネルは、複数の画素を有し、前記第１の表示面と前記第２の表示面のいずれか一方は複数色の発光素子を用いた多色表示であり、他方は前記複数色の発光素子のうち最も信頼性の高い色の発光素子を用いた単色表示であり、前記複数の画素のうち、前記最も信頼性の高い発光素子を有する画素はそれぞれ、前記第１の表示面の表示に寄与する第１の発光素子と、前記第２の表示面の表示に寄与する第２の発光素子とを有し、前記第１の発光素子は第１の画素電極を有し、前記第２の発光素子は第２の画素電極を有し、前記第１の表示面と前記第２の表示面のうち使用頻度が高いほうの表示面の表示に寄与する発光素子の有する画素電極の面積が、使用頻度の低いほうの表示面の表示に寄与する発光素子の有する画素電極の面積よりも大きいことを特徴としている。
【００１７】
本発明の表示装置は、基板の一表面に第１の表示面を有し、前記一表面と反対側の前記基板の表面に第２の表示面を有する両面表示パネルを搭載した表示装置であって、前記両面表示パネルは、複数の画素を有し、前記第１の表示面と前記第２の表示面のいずれか一方は複数色の発光素子を用いた多色表示であり、他方は前記複数色の発光素子のうち最も信頼性の高い色の発光素子を用いた単色表示であり、前記複数の画素のうち、前記最も信頼性の高い発光素子を有する画素はそれぞれ、前記第１の表示面の表示に寄与する第１の発光素子と、前記第２の表示面の表示に寄与する第２の発光素子とを有し、前記第１の発光素子は第１の画素電極を有し、前記第２の発光素子は第２の画素電極を有し、前記第１の画素電極の面積と前記第２の画素電極の面積は異なり、前記第１の発光素子と前記第２の発光素子に流す電流量を異ならせるための手段を有することを特徴としている。
【００１８】
本発明の表示装置は、基板の一表面に第１の表示面を有し、前記一表面と反対側の前記基板の表面に第２の表示面を有する両面表示パネルを搭載した表示装置であって、前記両面表示パネルは、複数の画素を有し、前記第１の表示面と前記第２の表示面のいずれか一方は複数色の発光素子を用いた多色表示であり、他方は前記複数色の発光素子のうち最も信頼性の高い色の発光素子を用いた単色表示であり、前記複数の画素のうち、前記最も信頼性の高い発光素子を有する画素はそれぞれ、前記第１の表示面の表示に寄与する第１の発光素子と、前記第２の表示面の表示に寄与する第２の発光素子と、第１の薄膜トランジスタと、第２の薄膜トランジスタとを有し、前記第１の発光素子は第１の画素電極を有し、前記第２の発光素子は第２の画素電極を有し、前記第１の画素電極は、前記第１の薄膜トランジスタのソースまたはドレインに電気的に接続され、前記第２の画素電極は、前記第２の薄膜トランジスタのソースまたはドレインに電気的に接続され、前記第１の薄膜トランジスタと前記第２の薄膜トランジスタのチャネル長に対するチャネル幅の値が異なることを特徴としている。
【００１９】
本発明に適用することができる表示パネルは、マトリクス状に配置された複数の画素を有する表示パネルである。前記複数の画素はそれぞれ、独立した２つの画素電極を有していることを特徴とする。
【００２０】
本発明の表示装置は、基板の一表面に第１の表示面を有し、前記一表面と反対側の前記基板の表面に第２の表示面を有する両面表示パネルを搭載した表示装置であって、前記第１の表示面と前記第２の表示面のうちいずれか一方は多色表示であり、他方は単色表示であってもよい。
【００２１】
本発明に適用することのできる表示パネルは、発光素子としてエレクトロルミネッセンス素子を用いてもよい。
【００２２】
また、本発明の表示装置は、基板の一表面に第１の表示面を有し、前記一表面と反対側の前記基板の表面に第２の表示面を有する両面表示パネルを搭載した表示装置であって、前記第１の表示面と前記第２の表示面のいずれか一方は複数色の発光素子を用いた多色表示であり、他方は前記複数色の発光素子のうち最も信頼性の高い色の発光素子を用いた単色表示であることを特徴としている。
【００２３】
本発明の表示装置は、基板の一表面に第１の表示面を有し、前記一表面と反対側の前記基板の表面に第２の表示面を有する両面表示パネルを搭載した表示装置であって、前記表示装置は前記単色の発光素子を用いており、前記第１の表示面と前記第２の表示面のいずれか一方にカラーフィルタを有することを特徴としている。
【００２４】
本発明の表示装置において、前記表示パネルの表示面に、着色したプラスチックあるいは鏡面タイプのプラスチックを有してもよい。
【００２５】
また、本発明の表示装置は、基板の一表面に第１の表示面を有し、前記一表面と反対側の前記基板の表面に第２の表示面を有する両面表示パネルを搭載した表示装置であって、タッチパネル機能が搭載されていることを特徴としている。
本発明の表示装置の表示方法は、基板の一表面に第１の表示面を有し、前記一表面と反対側の前記基板の表面に第２の表示面と、複数の画素とを有し、前記複数の画素はそれぞれ、前記第１の表示面の表示に寄与する第１の発光素子と、前記第２の表示面の表示に寄与する第２の発光素子とを有する両面表示パネルを搭載した表示装置の表示方法であって、前記第１の発光素子と、前記第２の発光素子は、発光輝度が互いに異なるようにすることを特徴としている。
【００２６】
本発明の表示装置の表示方法は、基板の一表面に第１の表示面を有し、前記一表面と反対側の前記基板の表面に第２の表示面と、複数の画素とを有し、前記複数の画素はそれぞれ、前記第１の表示面の表示に寄与する第１の発光素子と、前記第２の表示面の表示に寄与する第２の発光素子とを有する両面表示パネルを搭載した表示装置の表示方法であって、前記第１の表示面と前記第２の表示面のうち、使用頻度が高いほうの表示面の有する発光素子の発光輝度のほうが、使用頻度の低い表示面の発光素子の発光輝度よりも小さくなるようにすることを特徴としている。
【００２７】
本発明の表示装置の表示方法は、基板の一表面に第１の表示面を有し、前記一表面と反対側の前記基板の表面に第２の表示面と、複数の画素とを有し、前記複数の画素はそれぞれ、前記第１の表示面の表示に寄与する第１の発光素子と、前記第２の表示面の表示に寄与する第２の発光素子とを有する両面表示パネルを搭載した表示装置の表示方法であって、前記第１の発光素子に流す電流量と、前記第２の発光素子に流す電流量が互いに異なるようにすることを特徴としている。
【００２８】
本発明の表示装置の表示方法は、基板の一表面に第１の表示面を有し、前記一表面と反対側の前記基板の表面に第２の表示面と、複数の画素とを有し、前記複数の画素はそれぞれ、前記第１の表示面の表示に寄与する第１の発光素子と、前記第２の表示面の表示に寄与する第２の発光素子とを有する両面表示パネルを搭載した表示装置の表示方法であって、前記第１の表示面と前記第２の表示面のうち、使用頻度の高いほうの表示面の表示に寄与する発光素子に流す電流量のほうが、使用頻度の低い表示面の表示に寄与する発光素子に流す電流量よりも小さくなるようにすることを特徴としている。
【００２９】
本発明の表示装置の表示方法は、基板の一表面に第１の表示面を有し、前記一表面と反対側の前記基板の表面に第２の表示面と、複数の画素とを有し、前記複数の画素はそれぞれ、前記第１の表示面の表示に寄与する第１の発光素子と、前記第２の表示面の表示に寄与する第２の発光素子とを有し、前記第１の発光素子は第１の画素電極を有し、前記第２の発光素子は第２の画素電極を有し、前記第１の画素電極の面積と前記第２の画素電極の面積が異なる両面表示パネルを搭載した表示装置の表示方法であって、前記第１の発光素子に流す電流量と、前記第２の発光素子に流す電流量を互いに異ならせることを特徴としている。
【００３０】
本発明の表示装置の表示方法は、基板の一表面に第１の表示面を有し、前記一表面と反対側の前記基板の表面に第２の表示面と、複数の画素とを有し、前記複数の画素はそれぞれ、前記第１の表示面の表示に寄与する第１の発光素子と、前記第２の表示面の表示に寄与する第２の発光素子とを有し、前記第１の発光素子は第１の画素電極を有し、前記第２の発光素子は第２の画素電極を有し、前記第１の表示面と前記第２の表示面のうち使用頻度が高いほうの表示面の表示に寄与する発光素子の有する画素電極の面積が、使用頻度の低いほうの表示面の表示に寄与する発光素子の有する画素電極の面積よりも大きい両面表示パネルを搭載した表示装置の表示方法であって、前記第１の表示面と前記第２の表示面のうち、使用頻度の高いほうの表示面の表示に寄与する発光素子に流す電流量のほうが、使用頻度の低い表示面の表示に寄与する発光素子に流す電流量よりも小さくなるようにすることを特徴としている。
【発明の効果】
【００３１】
本発明により、ノートＰＣ等の携帯情報端末において、表面に第１の表示面と裏面に第２の表示面とを有する両面表示パネルを前記ノートＰＣ等の携帯情報端末の蓋に用い、さらに前記第１の表示面と前記第２の表示面の用途の違いにより、互いの開口率や発光輝度を異ならせたり、前記第１の表示面と前記第２の表示面のいずれか一方を多色にし、他方を単色にしたりすることで、ＥＬ素子全体の長寿命化や、低消費電力化を実現する携帯情報端末を提供することができる。また、両面表示パネルをノートＰＣ等の携帯情報端末の蓋部に用い、さらにタッチパネル機能を搭載することで、ＰＣ等の携帯端末の蓋を閉じたままでも容易に操作することができるため、移動中にも容易に使用することができる。
【図面の簡単な説明】
【００３２】
【図１】蓋部に両面表示パネルを設けた携帯情報端末を示す図である。
【図２】本発明の一画素構成を示す図である。
【図３】本発明の一画素構成を示す図である。
【図４】本発明の一画素構成を示す図である。
【図５】本発明の一画素構成の断面を示す図である。
【図６】本発明の一画素構成の断面を示す図である。
【図７】本発明の一画素構成の断面を示す図である。
【図８】本発明の両面表示パネルに透光性プラスチックを組み合わせた図である。
【図９】本発明の両面表示パネルが適用可能な電子機器を示す図である。
【図１０】両面表示パネルを示す図である。
【図１１】本発明の一画素構成を示す図である。
【図１２】本発明の一画素構成を示す図である。
【図１３】信号線駆動回路の構成例を示す図である。
【図１４】信号線駆動回路の構成例を示す図である。
【発明を実施するための形態】
【００３３】
本発明の実施形態について、以下に説明する。
【００３４】
（実施の形態１）
実施の形態１では、両面表示パネルの第１の表示面と第２の表示面とで、発光輝度を異ならせることによって、第１の表示面と第２の表示面において、発光素子の輝度劣化速度の違いを補正する第１の例を示す。
【００３５】
まず、両面表示パネルについて第１０図（図１０）を用いて説明する。
【００３６】
第１０図（Ａ）（図１０（Ａ））は両面表示パネルを示す図であり、第１０図（Ｂ）（図１０（Ｂ））は第１０図（Ａ）（図１０（Ａ））のａ−ａ’断面を示す図である。１０００１は基板、１０００２はソース信号線駆動回路、１０００３は第１のゲート信号線駆動回路、１０００４は第２のゲート信号線駆動回路を示す。両面表示パネルは、基板１０００１の一表面に第１の表示面１０００５を有し、第１の表示面１０００５とは反対側の基板１０００１の表面には第２の表示面１０００６を有する。第１の表示面１０００５は、矢印１０００７の方向に表示を行い、第２の表示面１０００６は矢印１０００８の方向に表示を行う。なお、第１０図（図１０）は、両面表示パネルの例を示すものであって、ソース信号線駆動回路及びゲート信号線駆動回路をいくつ設けるか、どの位置に設けるかについては適宜変更することができる。
【００３７】
次に、両面表示パネルの１画素の断面構造の例を第５図（図５（Ａ））に示す。ここで、本明細書において、Ｒ（赤）、Ｇ（緑）、Ｂ（青）の発光素子を用いた多色表示のパネルの場合において、１画素とは、Ｒ、Ｇ、Ｂのうちいずれか１色の発光素子で形成されている領域を示すものとする。
【００３８】
第５図（Ａ）（図５（Ａ））において、５１０１は第１の駆動用ＴＦＴ、５１０２は第２の駆動用ＴＦＴ、５１０３は反射材料等を用いた第１の画素電極、５１０４は透光性材料等を用いた第２の画素電極、５１０５はＥＬ層、５１０６は透光性材料等を用いた対向電極、５１０７は反射材料を用いた反射膜、５１０８は第１の表示領域、５１０９は第２の表示領域、５１１２は第１の発光素子、５１１３は第２の発光素子を示す。第１の表示領域５１０８と第２の表示領域５１０９は同じ面積である。第１の発光素子５１１２は、第１の画素電極５１０３とＥＬ層５１０５と対向電極５１０６とからなり、第２の発光素子５１１３は第２の画素電極５１０４とＥＬ層５１０５と対向電極５１０６とからなる。また、第１の表示領域５１０８における第１の発光素子５１１２の発光は、第１の表示面の表示に寄与しており、第２の表示領域５１０９における第２の発光素子５１１３の発光は第２の表示面の表示に寄与している。
【００３９】
第１の表示領域５１０８において、第１の駆動用ＴＦＴ５１０１に接続された第１の画素電極５１０３と対向電極５１０６間に電流が流れ、第１の表示領域５１０８のＥＬ層５１０５が発光する。このとき、第１の画素電極５１０３は反射材料を用い、対向電極５１０６は透光性材料を用いているため、ＥＬ層５１０５から対向電極方向（矢印５１１０の方向）に光が出射される。つまり、第１の発光素子５１１２は、矢印５１１０の方向に発光する。
【００４０】
なお本明細書で透光性材料とは、例えば、ＩＴＯ等の透明導電膜あるいは光を透過できる厚さで形成されたアルミニウム等を示し、反射材料とは、例えばアルミニウム等の光を反射する性質を持つ導電性材料を示すものとする。
【００４１】
また、第２の表示領域において、第２の駆動用ＴＦＴ５１０２に接続された第２の画素電極５１０４と対向電極５１０６間に電流が流れ、第２の表示領域５１０９のＥＬ層５１０５が発光する。このとき、第２の画素電極５１０４は透光性材料を用い、対向電極５１０６上には反射膜５１０７が形成されているため、ＥＬ層５１０５から第２の画素電極５１０４の方向（矢印５１１１の方向）に光が出射される。つまり、第２の発光素子５１１３は、矢印５１１１の方向に発光する。第５図（Ａ）（図５（Ａ））に示す両面表示パネルは、独立した２つの画素電極（第１の画素電極及び第２の画素電極）を有することを特徴としている。
【００４２】
第５図（Ａ）（図５（Ａ））に示す両面表示パネルを携帯情報端末の蓋部に設けて、蓋部の両面で表示できるようにした場合を第１図（図１）に示す。例として、ノートＰＣを開いた状態を第１図（Ａ）（図１（Ａ））に、閉じた状態を第１図（Ｂ）（図１（Ｂ））に示す。
【００４３】
前記ノートＰＣは第１の筐体（蓋部）１００１及び第２の筐体１００２を有し、第１の筐体１００１は両面表示パネルを有し、第２の筐体１００２は操作キー１００４等を有し、前記両面表示パネルは表面に第１の表示面１００３を、裏面に第２の表示面１１０１を有する。
【００４４】
ノートＰＣを開いた状態（第１図（Ａ）（図１（Ａ）））で使用する場合には、第１の表示面１００３が表示状態となり、蓋部１００１を閉じた状態では、第２の表示面１１０１が表示状態となる。ノートＰＣを開いて第１の表示面１００３を表示させて使用する場合と、蓋部を閉じて第２の表示面１１０１を表示させて使用する場合とでは、ノートＰＣを開いて使用する場合のほうが使用頻度が高いので、第１の表示面１００３の表示に寄与する発光素子（第５図（Ａ）（図５（Ａ））においては、第１の発光素子５１１２に相当）は、第２の表示面１１０１の表示に寄与する発光素子（第５図（Ａ）（図５（Ａ））においては第２の発光素子５１１３に相当）に比べて輝度劣化の速度は速く、先に使用できなくなってしまう。その場合には、第２の表示面１１０１の表示に寄与する発光素子の輝度劣化が進行しておらず充分に使用できる状態であったとしても、ノートＰＣとして使用することができなくなってしまう。しかし、第１の表示領域の表示に寄与する発光素子と第２の表示領域の表示に寄与する発光素子の輝度劣化の速度がほぼ同じになるようにできれば、両面表示パネルの長寿命化を図ることができる。そこで、第１の表示面の表示に寄与する発光素子（第５図（Ａ）（図５（Ａ））の第１の発光素子５１１２）に流す電流量が第２の表示面の表示に寄与する発光素子（第５図（Ａ）（図５（Ａ））の第２の発光素子５１１３）に流す電流量よりも少なくなるようにすることによって、第１の表示面１００３の表示に寄与する発光素子（第５図（Ａ）（図５（Ａ））の第１の発光素子５１１２）の発光輝度が、第２の表示面１１０１の表示に寄与する発光素子（第５図（Ａ）（図５（Ａ））の第２の発光素子５１１３）の発光輝度よりも低くなるようにすれば、第１の表示面と第２の表示面の表示に寄与する発光素子の輝度劣化速度の差を少なくすることができる。
【００４５】
第５図（Ａ）（図５（Ａ））において、第１の発光素子５１１２に流す電流量が第２の発光素子５１１３に流す電流量よりも小さくなるようにするには、例えば第１の駆動用ＴＦＴ５１０１のチャネルサイズ（チャネル幅／チャネル長）が第２の駆動用ＴＦＴ５１０２のチャネルサイズ（チャネル幅／チャネル長）よりも小さくなるようにすればよい。また、第１の駆動用ＴＦＴ５１０１のゲートとソース間の電圧をＶｇｓ１、第２の駆動用ＴＦＴ５１０２のゲートとソース間の電圧をＶｇｓ２としたときに、｜Ｖｇｓ１｜＜｜Ｖｇｓ２｜となるようにしても、第１の発光素子５１１２に流す電流量を第２の発光素子５１１３に流す電流量よりも小さくすることができる。｜Ｖｇｓ１｜＜｜Ｖｇｓ２｜となるようにするには、第１の駆動用ＴＦＴ５１０１のゲートに印加する映像信号と第２の駆動用ＴＦＴ５１０２のゲートに印加する映像信号の電位を異ならせる方法、第１の画素電極に印加する信号の電位と第２の画素電極に印加する信号の電位を異ならせる方法などがある。
【００４６】
まず、第１の駆動用ＴＦＴ５１０１のゲートに印加する映像信号と第２の駆動用ＴＦＴ５１０２のゲートに印加する映像信号の電位を異ならせる例について第１１図（図１１）を用いて説明する。第１１図（図１１）において、点線枠１１０１１で囲まれた部分が１画素であり、１１００１は第１のソース信号線、１１００２はゲート信号線、１１００３は電流供給線、１１００４は第１のスイッチング用ＴＦＴ、１１００５は第１の駆動用ＴＦＴ、１１００６は第２の駆動用ＴＦＴ、１１００７は第１の発光素子、１１００８は第２の発光素子、１１００９、１１０１０は対向電極、１１０１２は第２のスイッチング用ＴＦＴ、１１０１３は第２のソース信号線を示す。各画素において、第１の発光素子１１００７の出射光が得られる領域が第１の表示領域、第２の発光素子１１００８の出射光が得られる領域が第２の表示領域であり、いずれも１画素に含まれる。第１のスイッチング用ＴＦＴ１１００４のゲート電極は、ゲート信号線１１００２と電気的に接続され、第１の電極は、第１のソース信号線１１００１と電気的に接続され、第２の電極は、第１の駆動用ＴＦＴ１１００５のゲート電極と電気的に接続されている。第２のスイッチング用ＴＦＴ１１０１２のゲート電極は、ゲート信号線１１００２と電気的に接続され、第１の電極は、第２のソース信号線１１０１３と電気的に接続され、第２の電極は、第２の駆動用ＴＦＴ１１００６のゲート電極と電気的に接続されている。第１の駆動用ＴＦＴ１１００５の第１の電極は、電流供給線１１００３と電気的に接続され、第２の電極は、第１の発光素子１１００７の第１の電極と電気的に接続されている。第２の駆動用ＴＦＴ１１００６の第１の電極は、電流供給線１１００３と電気的に接続され、第２の電極は、第２の発光素子１１００８の第１の電極と電気的に接続されている。第１の発光素子１１００７の第２の電極および、第２の発光素子１１００８の第２の電極は、それぞれ、電流供給線と互いに電位差を有する対向電極１１００９、１１０１０と電気的に接続されている。
【００４７】
第１のソース信号線１１００１に印加する映像信号の電位と第２のソース信号線１１０１３に印加する映像信号の電位とを異ならせることによって、｜Ｖｇｓ１｜＜｜Ｖｇｓ２｜とすることができる。また、このような回路構成とすれば、第１及び第２のソース信号線を有しているため、それぞれのソース信号線から異なる映像信号を供給することができるため、第１の表示面と第２の表示面の表示を異ならせることができる。
【００４８】
次に、第１の画素電極に印加する信号の電位と第２の画素電極に印加する信号の電位を異ならせる例について、第１２図（図１２）を用いて説明する。第１２図（図１２）において、点線枠１２０１１で囲まれた部分が１画素であり、１２００１はソース信号線、１２００２はゲート信号線、１２００３は第１の電流供給線、１２００４はスイッチング用ＴＦＴ、１２００５は第１の駆動用ＴＦＴ、１２００６は第２の駆動用ＴＦＴ、１２００７は第１の発光素子、１２００８は第２の発光素子、１２００９、１２０１０は対向電極、１２０１２は第２の電流供給線示す。各画素において、第１の発光素子１２００７の出射光が得られる領域が第１の表示領域、第２の発光素子１２００８の出射光が得られる領域が第２の表示領域であり、いずれも１画素に含まれる。スイッチング用ＴＦＴ１２００４のゲート電極は、ゲート信号線１２００２と電気的に接続され、第１の電極は、ソース信号線１２００１と電気的に接続され、第２の電極は、第１の駆動用ＴＦＴ１２００５のゲート電極と電気的に接続されている。第１の駆動用ＴＦＴ１２００５の第１の電極は、第１の電流供給線１２００３と電気的に接続され、第２の電極は、第１の発光素子１２００７の第１の電極と電気的に接続されている。第２の駆動用ＴＦＴ１２００６の第１の電極は、第２の電流供給線１２０１２と電気的に接続され、第２の電極は、第２の発光素子１２００８の第１の電極と電気的に接続されている。第１の発光素子１２００７の第２の電極および、第２の発光素子１２００８の第２の電極は、それぞれ、電流供給線と互いに電位差を有する対向電極１２００９、１２０１０と電気的に接続されている。第１の電流供給線１２００３から第１の駆動ＴＦＴ１２００５の第１の電極に印加する電位と第２の電流供給線１２０１２から第２の駆動用ＴＦＴ１２００６の第１の電極に印加する電位とを異ならせることによって、｜Ｖｇｓ１｜＜｜Ｖｇｓ２｜とすることができる。
【００４９】
以上で説明したように、両面表示パネルにおいて、使用頻度が高い方の表示面の発光輝度が使用頻度が低い方の表示面の発光輝度よりも低くすることによって、両面表示パネルの両表示面の使用頻度の差によって生じる発光素子の輝度劣化速度の差を小さくし、両面表示パネルの寿命を長くすることができる。
【００５０】
なお、本実施の形態では、ノートＰＣを開いた状態では第１の表示面を表示させ、ノートＰＣを閉じた状態では第２の表示面を表示させている場合（第１の表示面の方が使用頻度が高い場合）について示したが、これに限定されない。使用頻度が高い方の表示面の発光輝度が使用頻度が低い方の表示面の発光輝度よりも低くなるようにできればよい。また、本実施の形態では、携帯情報端末の例として、ノートＰＣで説明したが、ノートＰＣに限定されない。ノートＰＣ以外でも、両面表示パネルの第１の表示面と第２の表示面とで使用頻度が異なる使用形態をとるものであれば本発明の表示パネルを適用することができる。
【００５１】
また、本発明の両面表示パネルの多色表示の方法としては、当然のことながら、Ｒ、Ｇ、Ｂの色を発するＥＬ層を塗り分けるＲＧＢ塗り分け方式、白色発光のＥＬ層にカラーフィルタを組み合わせるカラーフィルタ方式、青色発光のＥＬ層に色変換層を組み合わせる色変換方式など公知の多色表示方法を用いればよい。
【００５２】
（実施の形態２）
本実施の形態では、第１１図（図１１）の回路構成において、第１のソース信号線１１００１と第２のソース信号線１１０１３とに異なる電位を有する映像信号を供給する信号線駆動回路の例を以下に説明する。
【００５３】
まず信号線駆動回路の第１の構成例を第１３図（図１３）に示す。第１３図（図１３）は、第１の表示面と第２の表示面で同じ表示を行う場合に、第１１図（図１１）の第１のソース信号線１１００１と第２のソース信号線１１０１３とに異なる電位を有する映像信号を供給する場合の信号線駆動回路の構成例であり、ｍ行×ｎ列のアクティブマトリクス型両面表示パネルの信号線駆動回路を示す。第１３図（図１３）において、１３００１はＤ−フリップフロップ（Ｄ−ＦＦ）、１３００２はシフトレジスタ、１３００３ａは第１のラッチ回路（ＬＡＴ１）、１３００３ｂは第２のラッチ回路（ＬＡＴ２）、１３００４はレベルシフタ（ＬＳ）、１３００５はバッファを示す。また、Ｓ−ＣＫはクロック信号、Ｓ−ＣＫｂはクロック反転信号、Ｓ−ＳＰはスタートパルス、Ｄｉｇｉｔａｌ  Ｖｉｄｅｏはデジタルビデオ信号、Ｌａｔｃｈ  Ｐｕｌｓｅはラッチパルスを示す。レベルシフタ１３００４において、ＬＳ１は第１のレベルシフタ、ＬＳ２は第２のレベルシフタ、バッファ１３００５において、Ｂｕｆｆｅｒ１は第１のバッファ、Ｂｕｆｆｅｒ２は第２のバッファを示す。第１のレベルシフタ、第２のレベルシフタは第２のラッチ回路の出力部に接続されており、第１のレベルシフタの出力部は第１のバッファの入力部に接続され、第２のレベルシフタの出力部は第２のバッファの入力部に接続されている。第１のシフトレジスタと第１のバッファは同じ電源に接続され、第２のシフトレジスタと第２のバッファは第１のシフトレジスタ及び第１のバッファが接続されている電源とは異なる電源に接続されている。シフトレジスタ１３００２はｎ段のＤ−フリップフロップ１３００１から構成され、クロック信号（Ｓ−ＣＫ）、スタートパルス（Ｓ−ＳＰ）、クロック反転信号（Ｓ−ＣＫｂ）が入力される。これらの信号のタイミングに従って、順次サンプリングパルスが出力される。シフトレジスタ１３００２より出力されたサンプリングパルスは、第１のラッチ回路１３００３ａに入力される。第１のラッチ回路１３００３ａには、デジタルビデオ信号（Ｄｉｇｉｔａｌ  Ｖｉｄｅｏ）が入力されて、サンプリングパルスが入力されるタイミングに従って、各列で映像信号を保持していく。第１のラッチ回路１３００３ａにおいて、最終列まで映像信号の保持が完了すると、水平帰線期間中に、第２のラッチ回路１３００３ｂにラッチパルス（Ｌａｔｃｈ  Ｐｕｌｓｅ）が入力され、第１のラッチ回路１３００３ａに保持されていた映像信号は、一斉に第２のラッチ回路１３００３ｂに転送される。その後、保持されていた映像信号は、第２のラッチ回路のそれぞれの出力から接続されている２つのレベルシフタにおいてパルスの振幅変換を受け、続いて、バッファにおいて映像信号波形が整形された後、それぞれのソース信号線Ｓ１１〜Ｓｎ１、Ｓ１２〜Ｓｎ２へと出力される。ここで、ソース信号線Ｓ１１は、１列目の第１のソース信号線を示し、Ｓｎ１はｎ列目の第１のソース信号線を示す。また、ソース信号線Ｓ１２は、１列目の第２のソース信号線を示し、Ｓｎ２はｎ列目の第２のソース信号線を示す。
【００５４】
信号線駆動回路の第１の構成例では、第１のシフトレジスタと第１のバッファは同じ電源に接続され、第２のシフトレジスタと第２のバッファは第１のシフトレジスタ及び第１のバッファが接続されている電源とは異なる電源に接続されているため、第１のソース信号線と第２のソース信号線に異なる電位を有する映像信号を供給することができる。
【００５５】
なお、第１の構成例では、デジタル階調方式の場合の例を示したが、アナログ階調方式でも第１のソース信号線１１００１、第２のソース信号線１１０１３に異なる電位を有する映像信号を供給することは可能であり、デジタル階調方式に限定されるものではないことはいうまでもない。
【００５６】
次に、信号線駆動回路の第２の構成例を第１４図（図１４）に示す。第１４図（図１４）は、第１の表示面と第２の表示面で異なる表示を行う場合のソース信号線駆動回路の構成例であり、ｍ行×ｎ列のアクティブマトリクス型両面表示パネルの信号線駆動回路を示す。第１４図（図１４）において、１４００１はＤ−フリップフロップ（Ｄ−ＦＦ）、１４００２はシフトレジスタ、１４００３ａは第１のラッチ回路（ＬＡＴ１）、１４００３ｂは第２のラッチ回路（ＬＡＴ２）、１４００４はレベルシフタ（ＬＳ）、１４００５はバッファを示す。レベルシフタ１４００４において、ＬＳ１は第１のレベルシフタ、ＬＳ２は第２のレベルシフタ、バッファ１４００５において、Ｂｕｆｆｅｒ１は第１のバッファ、Ｂｕｆｆｅｒ２は第２のバッファを示す。第１のレベルシフタ、第２のレベルシフタはそれぞれ異なる段の第２のラッチ回路の出力部に接続されており、第１のレベルシフタの出力部は第１のバッファの入力部に接続され、第２のレベルシフタの出力部は第２のバッファの入力部に接続されている。第１のシフトレジスタと第１のバッファは同じ電源に接続され、第２のシフトレジスタと第２のバッファは第１のシフトレジスタ及び第１のバッファが接続されている電源とは異なる電源に接続されている。また、Ｓ−ＣＫはクロック信号、Ｓ−ＣＫｂはクロック反転信号、Ｓ−ＳＰはスタートパルス、Ｄｉｇｉｔａｌ  Ｖｉｄｅｏはデジタルビデオ信号、Ｌａｔｃｈ  Ｐｕｌｓｅはラッチパルスを示す。シフトレジスタ１４００２は２ｎ段のＤ−フリップフロップ１４００１から構成され、クロック信号（Ｓ−ＣＫ）、スタートパルス（Ｓ−ＳＰ）、クロック反転信号（Ｓ−ＣＫｂ）が入力される。これらの信号のタイミングに従って、順次サンプリングパルスが出力される。シフトレジスタ１３００２より出力されたサンプリングパルスは、第１のラッチ回路１３００３ａに入力される。第１のラッチ回路１３００３ａには、デジタルビデオ信号（Ｄｉｇｉｔａｌ  Ｖｉｄｅｏ）が入力されて、サンプリングパルスが入力されるタイミングに従って、各列で映像信号を保持していく。第１のラッチ回路１３００３ａにおいて、最終列まで映像信号の保持が完了すると、水平帰線期間中に、第２のラッチ回路１３００３ｂにラッチパルス（Ｌａｔｃｈ  Ｐｕｌｓｅ）が入力され、第１のラッチ回路１３００３ａに保持されていた映像信号は、一斉に第２のラッチ回路１３００３ｂに転送される。その後、保持されていた映像信号は、レベルシフタにおいてパルスの振幅変換を受け、続いて、バッファにおいて映像信号波形が整形された後、それぞれのソース信号線Ｓ１１〜Ｓｎ１、Ｓ１２〜Ｓｎ２へと出力される。ここで、ソース信号線Ｓ１１は、１列目の第１のソース信号線を示し、Ｓｎ１はｎ列目の第１のソース信号線を示す。また、ソース信号線Ｓ１２は、１列目の第２のソース信号線を示し、Ｓｎ２はｎ列目の第２のソース信号線を示す。
【００５７】
信号線駆動回路の第２の構成例は、第１のシフトレジスタと第１のバッファは同じ電源に接続され、第２のシフトレジスタと第２のバッファは第１のシフトレジスタ及び第１のバッファが接続されている電源とは異なる電源に接続されているため、第１のソース信号線と第２のソース信号線に異なる電位を有する映像信号を供給することができる。また、信号線駆動回路の第２の構成例は、第１のソース信号線と第２のソース信号線に供給する映像信号を、それぞれ異なるデジタルビデオ信号から生成している点が第１の構成例と異なり、第１の表示面と第２の表示面とで異なる映像を表示することができる。
【００５８】
このようにして第１のソース信号線１１００１、第２のソース信号線１１０１３に異なる電位を有する映像信号を供給することができる。なお、この例では、デジタル階調方式の場合の例を示したが、アナログ階調方式でも第１のソース信号線１１００１、第２のソース信号線１１０１３に異なる電位を有する映像信号を供給することは可能であり、デジタル階調方式に限定されるものではないことはいうまでもない。
【００５９】
（実施の形態３）
実施の形態３では、両面表示パネルの第１の表示面と第２の表示面とで、発光輝度を異ならせることによって、第１の表示面と第２の表示面において、発光素子の輝度劣化速度の違いを補正する第２の例を示す。具体的には、両面表示パネルにおいて、第１の表示面と第２の表示面で互いの開口率を異ならせることによって、第１の表示面と第２の表示面において、発光素子の劣化速度の違いを補正する。
【００６０】
第５図（Ｂ）（図５（Ｂ））は、第１の表示面と第２の表示面で互いの各画素の開口率を異ならせる例の、１画素における両面表示パネル断面図を示す。第１の表示面と第２の表示面で互いの各画素の開口率を異ならせる、即ち１画素当たりのＥＬの発光に寄与する画素電極の面積を第１の表示面と第２の表示面で異ならせることで、前記第１の表示面と前記第２の表示面での電流密度を異ならせることができる。
【００６１】
第５図（Ｂ）（図５（Ｂ））において、５００１は第１の駆動用ＴＦＴ、５００２は第２の駆動用ＴＦＴ、５００３は反射材料等を用いた第１の画素電極、５００４は透光性材料等を用いた第２の画素電極、５００５はＥＬ層、５００６は透光性材料等を用いた対向電極、５００７は反射材料を用いた反射膜、５００８は第１の表示領域、５００９は第２の表示領域、５０１２は第１の発光素子、５０１３は第２の発光素子を示す。なお、第１の表示領域５００８における第１の発光素子５０１２の発光は、第１の表示面の表示に寄与しており、第２の表示領域５０１１における第２の発光素子５０１３の発光は第２の表示面の表示に寄与している。
【００６２】
第１の表示領域５００８において、第１の駆動用ＴＦＴ５００１に接続された第１の画素電極５００３と対向電極５００６間に電流が流れ、第１の表示領域５００８のＥＬ層５００５が発光する。このとき、第１の画素電極５００３は反射材料を用い、対向電極５００６は透光性材料を用いているため、ＥＬ層５００５から対向電極方向（矢印５０１０の方向）に光が出射される。つまり、第１の発光素子５０１２は、矢印５０１０の方向に発光する。
【００６３】
また、第２の表示領域５００９において、第２の駆動用ＴＦＴ５００２に接続された第２の画素電極５００４と対向電極５００６間に電流が流れ、第２の表示領域５００９のＥＬ層５００５が発光する。このとき、第２の画素電極５００４は透光性材料を用い、第２の表示領域５００９の対向電極５００６上には反射膜５００７が形成されているため、ＥＬ層５００５から第２の画素電極５００４方向（矢印５０１１の方向）に光が出射される。つまり、第２の発光素子５０１３は、矢印５０１１の方向に発光する。
【００６４】
以上述べたように前記第１の画素電極５００３と前記第２の画素電極５００４の面積を異ならせているため、第１の表示面の表示に寄与する発光素子と第２の表示面の表示に寄与する発光素子で互いの電流密度を異ならせることができる。そして、使用頻度の高い表示面の表示に寄与する発光素子は使用頻度の低い表示面の表示に寄与する発光素子よりも電流密度が小さくなるようにする、即ち使用頻度の高い表示面は使用頻度の低い表示面よりも開口率が高くなるようにすることによって、使用頻度の低い表示面と使用頻度の高い表示面との輝度劣化速度の差を少なくすることができ、両面表示パネルの寿命を長くすることができる。本実施例で示す構成は、第１の表示面と第２の表示面での使用頻度が異なる場合に、効果的である。
【００６５】
なお、第５図（Ｂ）（図５（Ｂ））では、第１の画素電極５００３の面積を第２の画素電極５００４の面積よりも小さくする例を示しているが、これに限定されない。使用頻度の高い表示面の電流密度が使用頻度の低い表示面の電流密度よりも小さくなるようにできれば、即ち使用頻度の高い表示面の開口率が使用頻度の低い表示面の開口率よりも高くなるようにできれば、第１の画素電極５００３の面積を第２の画素電極５００４の面積より大きくしてもよい。
【００６６】
なお、本実施の形態は、実施の形態１と組み合わせて実施することが可能である。即ち、第１の表示面と第２の表示面とで開口率と発光輝度の両方を互いに異ならせることもできる。使用頻度が高いほうの表示面の開口率が高く、使用頻度が高いほうの表示面の発光輝度が低くなるようにすれば、互いの表示面の劣化速度の差を小さくすることができる。このように発光輝度と開口率の両方を互いに異ならせることによって、発光輝度のみを互いに異ならせた場合に比べて使用頻度の高いほうの表示面の発光輝度を高くすることができる。
【００６７】
（実施の形態４）
実施の形態４では、両面表示パネルの第１の表示面と第２の表示面の表示・非表示を制御するための回路構成について示す。本発明の一実施形態の回路図を第２図（図２）に示す。なお、ここではスイッチ素子や駆動素子として、薄膜トランジスタ（ＴＦＴ）を用いているが、特に限定はしない。例えば、ＭＯＳトランジスタ、有機トランジスタ、分子トランジスタ等が挙げられるが、いずれも同様に用いて良い。また、ＴＦＴにおいては、ソース領域とドレイン領域とは、一方を第１の電極、他方を第２の電極として表記する。
【００６８】
第２図（図２）において、点線枠２０１１で囲まれた領域が１画素であり、ソース信号線２００１、ゲート信号線２００２、電流供給線２００３、スイッチング用ＴＦＴ２００４、第１の駆動用ＴＦＴ２００５、第２の駆動用ＴＦＴ２００６、第１の発光素子２００７、第２の発光素子２００８を有する。各画素において、第１の発光素子２００７の出射光が得られる領域を第１の表示領域、第２の発光素子２００８の出射光が得られる領域が第２の表示領域であり、いずれも１画素に含まれる。
【００６９】
スイッチング用ＴＦＴ２００４のゲート電極は、ゲート信号線２００２と電気的に接続され、第１の電極は、ソース信号線２００１と電気的に接続され、第２の電極は、第１、第２の駆動用ＴＦＴ２００５、２００６のゲート電極と電気的に接続されている。第１の駆動用ＴＦＴ２００５の第１の電極は、電流供給線２００３と電気的に接続され、第２の電極は、第１の発光素子２００７の第１の電極と電気的に接続されている。第２の駆動用ＴＦＴ２００６の第１の電極は、電流供給線２００３と電気的に接続され、第２の電極は、第２の発光素子２００８の第１の電極と電気的に接続されている。第１の発光素子２００７の第２の電極および、第２の発光素子２００８の第２の電極は、それぞれ、電流供給線と互いに電位差を有する対向電極２００９、２０１０と電気的に接続されている。
【００７０】
ソース信号線２００１に出力された映像信号は、スイッチング用ＴＦＴ２００４がＯＮするタイミングで、第１、第２の駆動用ＴＦＴ２００５、２００６のゲート電極へと入力され、映像信号にしたがって、第１、第２の発光素子２００７、２００８に電流が供給されて発光する。前述のとおり、第１の表示領域、第２の表示領域は、それぞれ基板表裏から出射光が得られる。つまり、第１の表示面、第２の表示面の両方において表示が行われる。
【００７１】
この構成によると、第１の発光素子２００７、第２の発光素子２００８の発光、非発光の制御は、第１、第２の駆動用ＴＦＴ２００５、２００６によってなされるが、例えば、第３図（図３）に示すように、電流供給線３００３と、第１、第２の駆動用ＴＦＴ３００５、３００６の第１の電極との間に、それぞれ排他的に動作する第１、第２のアナログスイッチ３００９、３０１０を設け、表示面制御信号３０１３によってＯＮ・ＯＦＦを制御することにより、ある期間では第１のアナログスイッチ３００９がＯＮし、第１の発光素子３００７に電流が供給されると、第１の表示領域には映像が表示される。一方、第１のアナログスイッチ３００９と排他的に動作する第２のアナログスイッチ３０１０は、この時はＯＦＦしており、第２の発光素子３００８への電流供給経路を遮断する。よって第２の表示領域は発光しない。つまり、第１の表示面では表示が行われている状態であり、第２の表示面では表示が行われていない状態である。
【００７２】
反対に、第２のアナログスイッチ３０１０がＯＮし、第２の発光素子３００８に電流が供給され、第２の表示領域に映像が表示されている期間では、第１のアナログスイッチ３００９はＯＦＦし、第１の発光素子３００７への電流供給経路を遮断する。よって第１の表示領域は発光しない。つまり、第２の表示面では表示が行われている状態であり、第１の表示面では表示が行われていない状態である。このとき、表示面制御信号は、使用者が何らかの操作を行うことによって出力され、表示面の切り替えを行っても良いし、使用している状態（例えば携帯情報端末等を折りたたんだ状態か開いている状態かなど）によって、自動的に切り替え動作が行われるようにしても良い。
【００７３】
また、第１、第２のアナログスイッチ３００９、３０１０を排他的に動作させるのではなく、第４図（図４）に示すように、第１の表示面制御信号４００３、第２の表示面制御信号４００４を用いて独立に制御してもよい。この構成によると、第１の表示領域、第２の表示領域はいずれも任意に表示・非表示を切り替えることが出来る。つまり、第１の表示面と第２の表示面の表示・非表示を任意に切り換えることができる。
【００７４】
第３図（図３）、第４図（図４）に示した構成を用いて、第１の表示領域と第２の表示領域とで互いに異なる映像を表示させる方法としては、例えば１フレーム期間において、奇数フレームで第１の表示領域の表示を行い、偶数フレームで第２の表示領域の表示を行うなどといった方法が挙げられる。このとき、表示面制御信号は、１フレーム期間ごとに反転させ、第１、第２のアナログスイッチ４００１、４００２が互いに１フレームごとにＯＮ・ＯＦＦを切り替えられれば良い。
【００７５】
なお、本実施の形態は、実施の形態１〜３と組み合わせて実施することが可能である。
【００７６】
（実施の形態５）
本実施形態では、両面表示パネルにおいて、第１の表示面は多色表示、第２の表示面は単色表示とすることによって、第１の表示面と第２の表示面の発光素子の輝度劣化速度の違いを補正する例について説明する。
【００７７】
第６図（Ａ）（図６（Ａ））は、第１及び第２の表示面のうち片側の表示面のみ発光するパネル例の１画素における断面図を示す。第６図（図６）において、６００１は駆動用ＴＦＴ、６００２は透光性材料を用いた画素電極、６００３はＥＬ層、６００４は反射材料を用いた対向電極、６００５は表示領域を示す。
【００７８】
表示領域６００５において、駆動用ＴＦＴ６００１に接続された画素電極６００２と対向電極６００４間に電流が流れ、ＥＬ層６００３が発光する。このとき、画素電極６００２は透光性材料を用い、対向電極６００４は反射材料を用いているため、ＥＬ層６００３から画素電極方向に光が出射される。
【００７９】
第６図（Ｂ）（図６（Ｂ））は、第１の表示面と第２の表示面が発光する例を示す図である。第６図（図６）において、６１０１は第１の駆動用ＴＦＴ、６１０２は第２の駆動用ＴＦＴ、６１０３は反射材料を用いた第１の画素電極、６１０４は透光性材料を用いた第２の画素電極、６１０５はＥＬ層、６１０６は透光性材料を用いた対向電極、６１０７は反射材料を用いた反射膜、６１０８は第１の表示領域、６１０９は第２の表示領域を示す。
【００８０】
第１の表示面６１０８において、第１の駆動用ＴＦＴ６１０１に接続された第１の画素電極６１０３と対向電極６１０６間に電流が流れ、第１の表示領域６１０８のＥＬ層６１０５が発光する。このとき、第１の画素電極６１０３は反射材料を用い、対向電極６１０６は透光性材料を用いているため、ＥＬ層６１０５から対向電極６１０６方向（矢印６１１０の方向）に光が出射される。
【００８１】
また、第２の表示領域６１０９において、第２の駆動用ＴＦＴ６１０２に接続された第２の画素電極６１０４と対向電極６１０６間に電流が流れ、第２の表示領域６１０９のＥＬ層６１０５が発光する。このとき、第２の画素電極６１０４は透光性材料を用い、対向電極６１０６上には反射膜６１０７が形成されているため、ＥＬ層６１０５から第２の画素電極６１０４方向（矢印６１１１の方向）に光が出射される。
【００８２】
Ｒ、Ｇ、Ｂの内、信頼性の高い色の素子（寿命が長い色の素子）のみ第６図（Ｂ）（図６（Ｂ））のように第１の表示面６１０８と第２の表示面６１０９の両方に光が出射するようにし、残りの色の素子は第６図（Ａ）（図６（Ａ））のように第１の表示面及び第２の表示面のうち片側の表示面にのみ出射できるようにすることで、Ｒ、Ｇ、Ｂでの信頼性の差（劣化速度の差）を補って、第１の表示面は多色表示、第２の表示面は単色表示することができる。
【００８３】
なお本実施形態では、多色表示がＥＬ層から画素電極の方向に出射し、単色表示がＥＬ層から対向電極の方向に出射する場合で説明したが、これに限る必要はなく、多色表示がＥＬ層から対向電極の方向に出射し、単色表示がＥＬ層から画素電極の方向に出射してもよい。
【００８４】
なお、本実施の形態は、実施の形態１〜４と組み合わせて実施することが可能である。
【００８５】
（実施の形態６）
本実施形態では、両面表示パネルにおいて、第１の表示面はカラーフィルタを用いた多色表示、第２の表示面は単色表示とする例について説明する。
【００８６】
第７図（図７）に示す本実施形態の両面表示パネルの断面図を示す。第７図（図７）において、７００１は第１の駆動用ＴＦＴ、７００２は第２の駆動用ＴＦＴ、７００３は反射材料を用いた第１の画素電極、７００４は透光性材料を用いた第２の画素電極、７００５はＥＬ層、７００６は透光性材料を用いた対向電極、７００７は反射材料を用いた反射膜、７００８はカラーフィルタ、７００９は第１の表示領域、７０１０は第２の表示領域を示す。
【００８７】
第１の表示領域７００９において、第１の駆動用ＴＦＴ７００１に接続された第１の画素電極７００３と対向電極７００６間に電流が流れ、第１の表示領域７００９のＥＬ層７００５が発光する。このとき、第１の画素電極７００３は反射材料を用い、対向電極７００６は透光性材料を用いているため、ＥＬ層７００５から対向電極方向（矢印７０１１の方向）に光が出射される。
【００８８】
また、第２の表示領域７０１０において、第２の駆動用ＴＦＴ７００２に接続された第２の画素電極７００４と対向電極７００６間に電流が流れ、第２の表示領域７０１０のＥＬ層７００５が発光する。このとき、第２の画素電極７００４は透光性材料を用い、第２の表示領域の対向電極７００６上には反射膜７００７が形成されているため、ＥＬ層７００５から第２の画素電極方向（矢印７０１２の方向）に光が出射される。
【００８９】
ＥＬ層が白色発光だとすると、第１の表示面にはカラーフィルタが形成されているため、第１の表示面は多色表示になり、第２の表示面にはカラーフィルタが形成されていないため、第２の表示面は白色表示になる。
【００９０】
なお、本実施の形態は、実施の形態１〜４と組み合わせて実施することが可能である。
【００９１】
本実施例では、使用する発光素子を１色のみにしたため、Ｒ、Ｇ、Ｂの各素子間において、劣化速度が異なるという問題を解決することができる。
【００９２】
（実施の形態７）
携帯情報端末の蓋部に両面表示パネルを設けた場合において蓋を閉じた状態でも操作することができるようにした例について、第１図（図１）を用いて説明する。
【００９３】
通常、前記ノートＰＣを操作する場合は、前記ノートＰＣを開いた状態（第１図（Ａ）（図１（Ａ）））にし、操作キー１００４を用い操作する。また、第２の表示面１１０１はタッチパネルを搭載しており、前記ノートＰＣを閉じた状態であっても、前記タッチパネルを用い、操作が可能であり、移動中等の使用に便利である。
【００９４】
なお、本実施の形態は、実施の形態１〜６と組み合わせて実施することが可能である。
【実施例１】
【００９５】
実施形態に挙げた本発明の両面表示パネルに透光性プラスチックを貼った場合について、第８図（図８）を用いて説明する。
【００９６】
両面表示パネル８００１はソース信号線駆動回路８００２、第１のゲート信号線駆動回路８００３、第２のゲート信号線駆動回路８００４、表面に第１の表示面８００５及び裏面に第２の表示面８００８等を有する。
【００９７】
第８図（Ａ）（図８（Ａ））は、両面表示パネル８００１に、第１の透光性プラスチック８００６及び第２の透光性プラスチック８００７を貼り付ける例を示す図であり、第８図（Ｂ）（図８（Ｂ））は第８図（Ａ）（図８（Ａ））に示した例のａ−ａ’における断面図を示す。
【００９８】
第１の透光性プラスチック８００６及び第２の透光性プラスチック８００７は、着色されているものが望ましく、映像が表示されていない状態では両面表示パネル８００１上のソース信号線駆動回路８００２、第１のゲート信号線駆動回路８００３、第２のゲート信号線駆動回路８００４、第１の表示面８００５及び第２の表示面８００８等のパターンが外部から見えにくい。
【００９９】
第８図（Ｃ）（図８（Ｃ））は、両面表示パネル８００１から第１の透光性プラスチック８００６を介して映像が表示される例であり、第１の表示面８００５に映像が表示されるとＥＬが発光した部分のみが浮き上がるように見える。裏面の第２の表示面８００８側もまた同様である。さらに、プラスチックを貼り付けることで、両面表示パネル８００１を保護できる。
【０１００】
また、第１の透光性プラスチック８００６及び第２の透光性プラスチック８００７は、着色してあるものが望ましいとしたが、鏡面タイプのものであってもよい。
【０１０１】
また、両面表示パネルに透光性プラスチックを貼り付けるのではなく、転写技術を用い、予めガラス等の基板上に形成した表示部等を前記透光性プラスチック上に移してもよいし、封止基板として前記透光性プラスチックを用いてもよい。
【０１０２】
また、透光性プラスチックを筐体として用い、両面表示パネル全体を覆ってしまってもよいし、透光性プラスチックを両面表示パネルのケースとして用いてもよい。
【０１０３】
本実施例は、実施の形態１〜７と組み合わせて実施することが可能である。
【実施例２】
【０１０４】
本発明の表示装置は様々な電子機器の表示部に用いることができる。特に移動中など、不安定な状態で使用する機会が多いモバイル機器には本発明の表示装置を用いることが望ましい。
【０１０５】
具体的に前記電子機器として、携帯情報端末（携帯電話機、モバイルコンピュータ、携帯型ゲーム機または電子書籍等）、ビデオカメラ、デジタルカメラ等が挙げられる。これら電子機器の具体例を第９図（図９）に示す。
【０１０６】
第９図（Ａ）（図９（Ａ））は携帯電話機であり、本体９００１、音声出力部９００２、音声入力部９００３、両面表示パネル９００４、操作スイッチ９００５、アンテナ９００６等を含む。本発明の表示装置は両面表示パネル９００４に用いることができる。
【０１０７】
第９図（Ｂ）（図９（Ｂ））はＰＤＡ（Ｐｅｒｓｏｎａｌ  Ｄｉｇｉｔａｌ  Ａｓｓｉｓｔａｎｔ）であり、第１の筐体９１０１、両面表示パネル９１０２、第２の筐体９１０３、操作スイッチ９１０４等を含む。本発明の表示装置は両面表示パネル９１０２に用いることができる。
【０１０８】
以上のように、本発明の表示装置の適用範囲は極めて広く、あらゆる分野の電子機器に用いることが可能である。
【０１０９】
本実施例は、実施の形態１〜７及び実施例１と組み合わせて実施することが可能である。
【符号の説明】
【０１１０】
１００１    第１の筐体（蓋部）
１００２    第２の筐体
１００３    第１の表示面
１００４    操作キー
１１０１    第２の表示面
２００１    ソース信号線
２００２    ゲート信号線
２００３    電流供給線
２００４    スイッチング用ＴＦＴ
２００５    第１の駆動用ＴＦＴ
２００６    第２の駆動用ＴＦＴ
２００７    第１の発光素子
２００８    第２の発光素子
２００９    対向電極
２０１１    点線枠
３００３    電流供給線
３００５    第１の駆動用ＴＦＴ
３００６    第２の駆動用ＴＦＴ
３００７    第１の発光素子
３００８    第２の発光素子
３００９    第１のアナログスイッチ
３０１０    第２のアナログスイッチ
３０１３    表示面制御信号
４００１    第１のアナログスイッチ
４００２    第２のアナログスイッチ
４００３    第１の表示面制御信号
４００４    第２の表示面制御信号
５００１    第１の駆動用ＴＦＴ
５００２    第２の駆動用ＴＦＴ
５００３    第１の画素電極
５００４    第２の画素電極
５００５    ＥＬ層
５００６    対向電極
５００７    反射膜
５００８    第１の表示領域
５００９    第２の表示領域
５０１０    矢印
５０１１    矢印
５０１２    発光素子
５０１３    発光素子
５１０１    第１の駆動用ＴＦＴ
５１０２    第２の駆動用ＴＦＴ
５１０３    画素電極
５１０４    画素電極
５１０５    ＥＬ層
５１０６    対向電極
５１０７    反射膜
５１０８    第１の表示領域
５１０９    第２の表示領域
５１１０    矢印
５１１１    矢印
５１１２    第１の発光素子
５１１３    第２の発光素子
６００１    駆動用ＴＦＴ
６００２    画素電極
６００３    ＥＬ層
６００４    対向電極
６００５    表示領域
６１０１    第１の駆動用ＴＦＴ
６１０２    第２の駆動用ＴＦＴ
６１０３    第１の画素電極
６１０４    第２の画素電極
６１０５    ＥＬ層
６１０６    対向電極
６１０７    反射膜
６１０８    第１の表示領域
６１０９    第２の表示領域
６１１０    矢印
６１１１    矢印
７００１    第１の駆動用ＴＦＴ
７００２    第２の駆動用ＴＦＴ
７００３    第１の画素電極
７００４    第２の画素電極
７００５    ＥＬ層
７００６    対向電極
７００７    反射膜
７００９    第１の表示領域
７０１０    第２の表示領域
７０１１    矢印
７０１２    矢印
８００１    両面表示パネル
８００２    ソース信号線駆動回路
８００３    第１のゲート信号線駆動回路
８００４    第２のゲート信号線駆動回路
８００５    第１の表示面
８００６    第１の透光性プラスチック
８００７    第２の透光性プラスチック
８００８    第２の表示面
９００１    本体
９００２    音声出力部
９００３    音声入力部
９００４    両面表示パネル
９００５    操作スイッチ
９００６    アンテナ
９１０１    筐体
９１０２    両面表示パネル
９１０３    筐体
９１０４    操作スイッチ
１０００１    基板
１０００５    第１の表示面
１０００６    第２の表示面
１０００７    矢印
１０００８    矢印
１１００１    ソース信号線
１１００２    ゲート信号線
１１００３    電流供給線
１１００４    スイッチング用ＴＦＴ
１１００５    第１の駆動用ＴＦＴ
１１００６    第２の駆動用ＴＦＴ
１１００７    第１の発光素子
１１００８    第２の発光素子
１１００９    対向電極
１１０１１    点線枠
１１０１２    スイッチング用ＴＦＴ
１１０１３    ソース信号線
１２００１    ソース信号線
１２００２    ゲート信号線
１２００３    電流供給線
１２００４    スイッチング用ＴＦＴ
１２００５    第１の駆動用ＴＦＴ
１２００６    第２の駆動用ＴＦＴ
１２００７    第１の発光素子
１２００８    第２の発光素子
１２００９    対向電極
１２０１１    点線枠
１２０１２    電流供給線
１３００１    Ｄ−フリップフロップ
１３００２    シフトレジスタ
１３００４    レベルシフタ
１３００５    バッファ
１４００１    Ｄ−フリップフロップ
１４００２    シフトレジスタ
１４００４    レベルシフタ
１４００５    バッファ
１３００３ａ    第１のラッチ回路
１３００３ｂ    第２のラッチ回路
【図１】
2010217899.tif 000003
【図２】
2010217899.tif 000004
【図３】
2010217899.tif 000005
【図４】
2010217899.tif 000006
【図５】
2010217899.tif 000007
【図６】
2010217899.tif 000008
【図７】
2010217899.tif 000009
【図８】
2010217899.tif 000010
【図９】
2010217899.tif 000011
【図１０】
2010217899.tif 000012
【図１１】
2010217899.tif 000013
【図１２】
2010217899.tif 000014
【図１３】
2010217899.tif 000015
【図１４】
2010217899.tif 000016